(57)【要約】【課題】発光管内で管軸方向に延びるフィラメントを備えた白熱ランプにおいて、発光管の強度を補強して、その薄肉化を実現して光の透過効率の向上を図った構造を提供することにある。  また、複数本の白熱ランプを備え、互いに発光部であるフィラメントの位置がずれて配置された白熱ランプユニットにおいて、各白熱ランプの強度を補強しつつ、発光部からの光を邪魔することのない構造を提供することにある。【解決手段】前記発光管にその管軸方向に延びる補強リブを形成したことを特徴とする。  また、複数の白熱ランプのそれぞれの発光管の内部リードに対応した位置に補強リブを設けた構成としたことを特徴とする。【選択図】  図１
2011154861.tif 000002
【特許請求の範囲】
【請求項１】
両端に封止部が設けられた発光管と、該発光管内で管軸方向に延びるフィラメントと、を備えた白熱ランプにおいて、
前記発光管には、管軸方向に沿って延びる補強リブが設けられたことを特徴とする白熱ランプ。
【請求項２】
前記補強リブが、発光管の外周面に管軸方向に直線状に設けられていることを特徴とする請求項１に記載の白熱ランプ。
【請求項３】
前記補強リブが、発光管の外周面に螺旋状に設けられていることを特徴とする請求項１に記載の白熱ランプ。
【請求項４】
両端に封止部が設けられた発光管と、該発光管内で管軸方向に延びるフィラメントとを備えた白熱ランプが複数本具備され、前記各ランプには発光部であるフィラメントと非発光部である内部リードが設けられており、前記各ランプのフィラメントが管軸方向で互いにずれるように配置されてなる白熱ランプユニットにおいて、
前記白熱ランプの発光管には、非発光部である内部リードに対応する個所に管軸方向に沿って延びる補強リブが設けられていることを特徴とする白熱ランプユニット。
【請求項５】
前記白熱ランプが２本具備され、一方の白熱ランプにおいては発光部であるフィラメントが管軸方向の中央部に配置され、他方の白熱ランプにおいてはフィラメントが前記一方の白熱ランプのフィラメントの両側に位置するように配置されていることを特徴とする請求項４に記載の白熱ランプユニット
【発明の詳細な説明】
【技術分野】
【０００１】
この発明は、白熱ランプ及び白熱ランプユニットに関するものであり、特に、電子写真方式を利用した複写機、レーザーブリンタ、ファクシミリなどの画像成形装置における、熱ローラ定着方式の加熱装置を構成する加熱ローラ内に配置されて、当該加熱ローラの加熱源として用いられる白熱ランプ及び白熱ランプユニットに係るものである。
【背景技術】
【０００２】
従来、この種の加熱源として発光管内にフィラメントを具備する白熱ランプが多用されている。例えば、特許文献１（特開２００１−１２６８４６号公報）には、複写機、プリンタ、ファクシミリ等の画像形成装置用の定着装置にハロゲンヒータが用いられ、従来のガラス管（発光管）より薄肉化して光の透過率を向上させることが記載されている。
【０００３】
また、一方で、記録紙のサイズに対応するように、複数本の白熱ランプを備えた白熱ランプユニットも公知である。特開２００９−１１７１４７号公報はその一例であり、図５にその概略構造が開示されている。
同図において、図示されない加熱定着装置を構成する加熱ローラの内部に、複数本の棒状ヒータランプ３１、３２からなるランプユニット３０が加熱源として配置されているものが記載されている。
この装置においては、一方の白熱ランプ３１内の中央部には発光部であるフィラメント３３が配置され、その両側に非発光部である内部リード３４、３５が配置されている。
他方の白熱ランプ３２には、前記一方のランプ３２のフィラメント３３とずれた位置にフィラメント３６、３７が配置され、それらを内部リード３８で接続している。
【０００４】
上記ランプユニット３０は、記録紙のサイズに応じて各ランプを点灯するものであって、例えば、Ａ４タイプの記録紙の場合には、ランプ３１のみを点灯し、Ａ３タイプの場合には、両方のランプ３１、３２を点灯させるものである。
【０００５】
しかして、上記白熱ランプにおいては、特許文献１に開示されたように、光の透過率の向上を図って発光管の肉厚を薄くする、例えば０．８５ｍｍ以下にしようとすると、発光管の強度が低下し、破損しやすくなり、その取り扱いが煩雑化するという問題があった。
【先行技術文献】
【特許文献】
【０００６】
【特許文献１】特開２００１−１２６８４６号公報
【特許文献２】特開２００９−１１７１４７号公報
【発明の概要】
【発明が解決しようとする課題】
【０００７】
この発明は、上記従来技術の問題点に鑑みて、発光管内にフィラメントを具備した白熱ランプ及び複数本の白熱ランプを備えたランプユニットにおいて、発光管の強度を補強して該発光管の肉厚を薄くすることを可能とし、光の透過率の向上を実現させるようにした白熱ランプ及び白熱ランプユニットを提供しようとするものである。
【課題を解決するための手段】
【０００８】
上記課題を解決するために、この発明に係る白熱ランプは、内部にフィラメントを具備した発光管に、その管軸方向に沿って延びる補強リブが設けられたことを特徴とする。
更には、発光管内で管軸方向に延びるフィラメントを備えた白熱ランプが複数本具備され、前記各ランプには発光部であるフィラメントと非発光部である内部リードが設けられており、前記各ランプのフィラメントが管軸方向で互いにずれるように配置されてなる白熱ランプユニットにおいて、前記白熱ランプの発光管には、非発光部である内部リードに対応する個所に管軸方向に沿って延びる補強リブが設けられていることを特徴とする。
【発明の効果】
【０００９】
本発明によれば、発光管に、その管軸方向に沿って延びる補強リブを設けた構成としたことにより、発光管の強度が補強され、当該発光管の薄肉化を実現して光の透過率の向上を図ることができる。
また、複数本の白熱ランプを備え、各ランプにおける発光部であるフィラメントの位置を互いにずらせて配置した白熱ランプユニットにおいて、各ランプの発光管に、内部リードに対応した位置に管軸方向に沿って延びる補強リブを設けた構成としたことにより、発光管の強度を補強しつつ、発光部からの光を邪魔することなく外部に透過できるという効果を奏するものである。
【図面の簡単な説明】
【００１０】
【図１】本発明に係る白熱ランプの全体図。
【図２】第１の実施例の断面斜視図。
【図３】第２の実施例の全体図。
【図４】第３の実施例の全体図。
【図５】従来例の全体図。
【発明を実施するための形態】
【００１１】
図１はこの発明の白熱ランプを示し、図１（ａ）は全体図、図１（ｂ）はそのＡ−Ａ部の拡大横断面図である。
図において、白熱ランプ１は、両端に封止部を有する直管状の発光管２と、その内部に管軸方向に沿って配設されたフィラメント３とを備えている。該フィラメント３は内部リード４を介して外部リード５に接続されている。そして、発光管２内には、不活性ガス及びハロゲンガスが封入されている。
【００１２】
上記発光管２の外周面には管軸方向に沿って延びる直線状の補強リブ６、６が設けられている。当該補強リブ６は、発光管２の直径や補強リブ６自体の大きさによってその本数が選択される。なお、この際、補強リブ６は発光管２の排気チップ７を避けた位置に形成することが望ましい。
【００１３】
上記実施例では、発光管２の外周面に補強リブ７、７を形成する構成を示したが、これに限られず、その内周面に形成することもできる。図２にこの構成が示されていて、図において、直線状の補強リブ８、８は発光管２の内周面に管軸方向に延びるように形成されている。
【００１４】
また、図３に別の実施例が示されており、この実施例では、補強リブ９は発光管２の外周面に螺旋状に形成されていて、その管軸方向に沿って延びている。
【００１５】
図４には、このような白熱ランプを複数本具備した白熱ランプユニット１０が示されていて、該白熱ランプユニット１０は２本の白熱ランプ１１、２１からなる。
一方の白熱ランプ１１は、発光管１２内の中央部に発光部であるフィラメント１３が配置され、その両端には非発光部である内部リード１４、１５が接続されている。
そして、前記発光管１２の外周面には内部リード１４、１５に対応した位置に、それぞれ螺旋状の補強リブ１６、１７が形成されていて、フィラメント１３に対応した外周面には補強リブは形成されていない。
【００１６】
一方、他の放電ランプ２１は、発光管２２内の両端側にフィラメント２３、２４が配置され、これらは中央部に位置する内部リード２５によって接続されている。これらフィラメント２３、２４は前記一方のランプ１１の内部リード１４、１５に対応した位置に配設され、また、内部リード２５は一方のランプ１１のフィラメント１３に対応した位置に配設されている。
そして、発光管２２の外周面には中央部の内部リード２５に対応した位置に螺旋状の補強リブ２６が形成されていて、両端側のフィラメント２３、２４に対応した位置には補強リブは形成されていない。
【００１７】
なお、図４においては、補強リブ１６、１７、２６は螺旋状のものを示したが、図１のように、直線状のものであってもよい。
また、この実施例では白熱ランプが２本の例を示したが、本数はこれに限られず例えば、３本あるいはこれ以上であってもよい。３本以上であっても、各ランプでの発光部であるフィラメントの位置を管軸方向でそれぞれずらせた配置とし、補強リブは各ランプにおいて、非発光部である内部リードに対応する個所に形成すればよい。
【００１８】
以上のように、本発明の白熱ランプでは、内部にフィラメントを具備した発光管に、その管軸方向に沿って延びる補強リブを設けたことにより、発光管の強度を補強することができ、該発光管の薄肉化を実現して光の透過率を向上させることができる。
また、複数の白熱ランプを備え、それぞれの白熱ランプの発光部であるフィラメントの位置を互いにずらした配置した白熱ランプユニットにおいて、各ランプの発光管において内部リードに対応した位置に補強リブを設けたことにより、発光管の強度が補強されるとともに、各フィラメントに対応した位置には補強リブがないために、該フィラメントからの光が補強リブによって邪魔されることなく外部に放射されるという効果を奏するものである。
【符号の説明】
【００１９】
１          白熱ランプ
２          発光管
３          フィラメント
４          内部リード
６、８、９  補強リブ
１０        白熱ランプユニット
１２        発光管
１１、２１  白熱ランプ
１３        フィラメント
１４、１５  内部リード
１７、１７  補強リブ
２２        発光管
２３、２４  フィラメント
２５        内部リード
２６        補強リブ
【図１】
2011154861.tif 000003
【図２】
2011154861.tif 000004
【図３】
2011154861.tif 000005
【図４】
2011154861.tif 000006
【図５】
2011154861.tif 000007